(57)【要約】【課題】各部の角度を調整する時に発生する応力の集中を除去することにより、しわ、ヘッド構造の変形又は残留応力の集中が発生することを防ぐゴルフクラブヘッドを提供する。【解決手段】ゴルフクラブヘッド１００は、ヘッド本体１１０、ホーゼル部１２０、ソケット部１３０及び少なくとも一つの調整溝１３１を備える。ヘッド本体１１０は、ヒール部１１１及びトウ部１１２を有する。ホーゼル部１２０は、ヘッド本体１１０のヒール部１１１に接続されている。ソケット部１３０は、ホーゼル部１２０によりヘッド本体１１０に接続され、ゴルフクラブのシャフト２００に外嵌され、外周面を有する。調整溝１３１は、ソケット部１３０の外周面上に設けられている。【選択図】図１
0003129216.tif 000002
【実用新案登録請求の範囲】
【請求項１】
ヒール部及びトウ部を有するヘッド本体と、
前記ヘッド本体の前記ヒール部に接続されたホーゼル部と、
前記ホーゼル部により前記ヘッド本体に接続され、ゴルフクラブのシャフトに外嵌され、外周面を有するソケット部と、
前記ソケット部の前記外周面上に設けられた少なくとも一つの調整溝と、
を備えることを特徴とするゴルフクラブヘッド。
【請求項２】
前記調整溝は環状溝であることを特徴とする請求項１に記載のゴルフクラブヘッド。
【請求項３】
前記調整溝は、前記ソケット部の前記外周面上に所定の間隔で設けられた複数の矩形状切削溝であることを特徴とする請求項１に記載のゴルフクラブヘッド。
【請求項４】
前記調整溝は螺旋状溝であることを特徴とする請求項１に記載のゴルフクラブヘッド。
【請求項５】
前記調整溝の深さは、前記ゴルフクラブヘッドの材料の降伏強度と正比例の関係にあることを特徴とする請求項１に記載のゴルフクラブヘッド。
【請求項６】
ヒール部及びトウ部を有するヘッド本体と、
前記ヘッド本体の前記ヒール部に接続され、外周面を有するホーゼル部と、
前記ホーゼル部により前記ヘッド本体に接続され、ゴルフクラブのシャフトに外嵌されたソケット部と、
前記ホーゼル部の前記外周面上に設けられた少なくとも一つの調整溝と、
を備えることを特徴とするゴルフクラブヘッド。
【請求項７】
前記調整溝は環状溝であることを特徴とする請求項６に記載のゴルフクラブヘッド。
【請求項８】
前記調整溝は、前記ホーゼル部の前記外周面上に所定の間隔で設けられた複数の矩形状切削溝であることを特徴とする請求項６に記載のゴルフクラブヘッド。
【請求項９】
前記調整溝は螺旋状溝であることを特徴とする請求項６に記載のゴルフクラブヘッド。
【請求項１０】
前記調整溝の深さは、前記ゴルフクラブヘッドの材料の降伏強度と正比例の関係にあることを特徴とする請求項６に記載のゴルフクラブヘッド。
【考案の詳細な説明】
【技術分野】
【０００１】
本考案は、ゴルフクラブヘッドに関し、特に調整溝を有するゴルフクラブヘッドに関する。
【背景技術】
【０００２】
一般にゴルフクラブのシャフト及びクラブヘッドは、ユーザの体型、スイングの姿勢や習慣に合わせて調整してユーザの使用ニーズに合わせなければ、打撃効果を向上させることができない。しかしクラブヘッドの角度（例えば、シャフトから延伸された中心線とソール（sole）部とで形成されるライ（lie）角や打撃面と地面とで形成されるロフト（loft）角など）を調整すると、ゴルフクラブの打撃効果と安定性に悪影響を及ぼすことがあった。
【０００３】
一般にクラブヘッドの角度調整は、専門の調整師により行われるが、角度調整を行うと、クラブヘッドに外力が加わって、しわ、残留応力の集中やその他の欠陥が発生しやすく、それらは特にクラブヘッドのソケット部とホーゼル部との接続箇所に発生しやすかった。そのため、クラブヘッドの角度調整を行うと、構造の安全性と外観上の美観に悪影響を与え、さらには打撃効果及び安定性に悪影響を及ぼすことがあった。
【考案の開示】
【考案が解決しようとする課題】
【０００４】
本考案の目的は、各部の角度を調整する時に発生する応力の集中を除去することにより、しわ、ヘッド構造の変形又は残留応力の集中が発生することを防ぐゴルフクラブヘッドを提供することにある。
本考案のもう一つの目的は、ソケット部やホーゼル部の外周面上に調整溝を設けることにより、角度調整により発生するいずれの方向の応力の集中を除去し、各部の角度調整がいずれの方向にも行えるゴルフクラブヘッドを提供することにある。
【課題を解決するための手段】
【０００５】
上述の目的を達成するため、請求項１の考案では、ヒール部及びトウ部を有するヘッド本体と、前記ヘッド本体の前記ヒール部に接続されたホーゼル部と、前記ホーゼル部により前記ヘッド本体に接続され、ゴルフクラブのシャフトに外嵌され、外周面を有するソケット部と、前記ソケット部の前記外周面上に設けられた少なくとも一つの調整溝と、を備えることを特徴とする。
【０００６】
請求項２の考案では、前記調整溝は環状溝であることを特徴とする。
【０００７】
請求項３の考案では、前記調整溝は、前記ソケット部の前記外周面上に所定の間隔で設けられた複数の矩形状切削溝であることを特徴とする。
【０００８】
請求項４の考案では、前記調整溝は螺旋状溝であることを特徴とする。
【０００９】
請求項５の考案では、前記調整溝の深さは、前記ゴルフクラブヘッドの材料の降伏強度と正比例の関係にあることを特徴とする。
【００１０】
請求項６の考案では、ヒール部及びトウ部を有するヘッド本体と、前記ヘッド本体の前記ヒール部に接続され、外周面を有するホーゼル部と、前記ホーゼル部により前記ヘッド本体に接続され、ゴルフクラブのシャフトに外嵌されたソケット部と、前記ホーゼル部の前記外周面上に設けられた少なくとも一つの調整溝と、を備える。
【００１１】
請求項７の考案では、前記調整溝は環状溝であることを特徴とする。
【００１２】
請求項８の考案では、前記調整溝は、前記ホーゼル部の前記外周面上に所定の間隔で設けられた複数の矩形状切削溝であることを特徴とする。
【００１３】
請求項９の考案では、前記調整溝は螺旋状溝であることを特徴とする。
【００１４】
請求項１０の考案では、前記調整溝の深さは、前記ゴルフクラブヘッドの材料の降伏強度と正比例の関係にあることを特徴とする。
【考案の効果】
【００１５】
本考案のゴルフクラブヘッドは、クラブヘッドの各部の角度を調整する時に発生するいずれの方向への応力の集中も調整溝により除去する。これにより、クラブヘッドの各部の角度調整をいずれの方向へ行っても、しわ、ヘッド構造の変形又は残留応力の集中が発生することを防ぐことができる上、ゴルフクラブヘッドの角度調整を行った後の打撃安定性を向上させることができる。調整溝の深さは、ゴルフクラブヘッドの材料の降伏強度のみに対応するため、ゴルフクラブヘッドの構造の安全性には影響を及ぼさない。その上、ゴルフクラブヘッドの角度調整は調整溝により容易に行うことができるため、専門の調整師でなくとも行うことができる。
【考案を実施するための最良の形態】
【００１６】
以下、本考案の実施形態を図面に基づいて説明する。
（第１実施形態）
図１及び図２を参照する。図１は、本考案の第１実施形態によるゴルフクラブヘッドを示す正面図である。図２は、図１の線２−２に沿った断面図である。本実施形態のゴルフクラブヘッド１００は、打撃効果を向上させるために、角度（例えばゴルフクラブヘッド１００のロフト角やライ角）を調整することができる。
【００１７】
図１及び図２に示すように、第１実施形態のゴルフクラブヘッド１００は、ステンレス、炭素鋼、合金鋼やＦｅ−Ｍｎ−Ａｌ合金などの材料からなり、鋳造、鍛造や機械加工などで製造される。第１実施形態のゴルフクラブヘッド１００は、ヘッド本体１１０、ホーゼル部１２０及びソケット部１３０を少なくとも備える。ヘッド本体１１０は、ヒール部１１１、トウ部１１２及び打撃面１１３を備え、ヒール部１１１及びトウ部１１２は、それぞれヘッド本体１１０の両端に形成され、ヒール部１１１とトウ部１１２の間には、ボールを打撃する打撃面１１３が形成されている。ホーゼル部１２０は、ヘッド本体１１０のヒール部１１１の箇所に配置され、ソケット部１３０と接続されている。ソケット部１３０は、ゴルフクラブのシャフト２００に外嵌されている。また、このソケット部１３０は、ソケット部１３０の外周面上でホーゼル部１２０側に設けられた少なくとも一つの調整溝１３１を有する。この調整溝１３１は、鋳造、鍛造や機械加工などの方式により形成され、クラブヘッドの角度を調整する時に発生する応力の集中を除去するとともに、ゴルフクラブヘッド１００の角度を調整する時の変形空間を提供することにより、しわが発生してゴルフクラブヘッド１００の美感と構造の安全性に悪影響を与えることを防ぐことができる。
【００１８】
【表１】
0003129216.tif 000003
【００１９】
表１は、調整溝とクラブヘッド材料の機械特性との関係を示す表である。表１に示すように、調整溝１３１の深さは、ゴルフクラブヘッド１００の材料の降伏強度（yield strength）により決定され、ゴルフクラブヘッド１００の材料の降伏硬度と正比例の関係にある。調整溝１３１の深さは、例えば０．１から１ｍｍの間であり、０．５から０．７ｍｍの間であることが好ましい。ゴルフクラブヘッド１００は、材料の降伏強度が小さくて変形しやすいとき、角度調整に必要な外力は小さくてよいため、調整溝１３１の深さが小さい。一方、ゴルフクラブヘッド１００は、材料の降伏強度が大きくて変形しにくいとき、角度調整には大きな外力が必要となるため、集中応力を除去するために調整溝１３１の深さを大きくしなければならない。
【００２０】
第１実施形態の調整溝１３１は、完全な環状溝であり、ソケット部１３０の外周面上でホーゼル部１２０側に設けられている。ゴルフクラブヘッド１００の調整溝１３１は、ソケット部１３０の外周面上に３６０°全周に設けられているため、角度調整で加えられるいずれの方向の外力も緩和することができる。そのため、ソケット部１３０の調整溝１３１は、ゴルフクラブヘッド１００の角度調整を行う時に、しわ、ヘッド構造の変形又は残留応力の集中が発生することを防ぎ、クラブヘッドの角度調整を行った後に打撃の安定性を向上させることができる。その上、ゴルフクラブヘッド１００の角度調整は、調整溝１３１により容易に行うことができるため、専門の調整師でなくとも行うことができる。また、調整溝１３１の深さが小さいため（例えば０．１から１ｍｍの間）、ゴルフクラブヘッド１００の構造全体には何ら悪影響を与えない。
【００２１】
（第２実施形態）
図３は、本考案の第２実施形態によるゴルフクラブヘッドを示す正面図である。本実施形態は、第１実施形態と異なり、調整溝１３１ａがホーゼル部１２０の外周面上に設けられている。そのため、ゴルフクラブヘッド１００のホーゼル部１２０に対して角度調整を行う時に、しわ、ヘッド構造の変形又は残留応力の集中が発生することを防ぐことができる。
【００２２】
（第３実施形態）
図４は、本考案の第３実施形態によるゴルフクラブヘッドを示す正面図である。本実施形態は、第１実施形態と異なり、調整溝１３１ｂは、ソケット部１３０の外周面上でホーゼル部１２０側に設けられた螺旋状溝である。調整溝１３１ｂのネジ巻数は、ゴルフクラブヘッド１００の材料の降伏強度により決定され、ゴルフクラブヘッド１００の材料の降伏強度と正比例の関係にある。例えば、ゴルフクラブヘッド１００の材料の降伏強度が高いとき（変形しにくいとき）、調整溝１３１ｂのネジ巻数を増やして、ゴルフクラブヘッド１００の角度調整を行う時に発生する応力の集中を除去することができる。そのため、この第３実施形態は、溝１３１ｂの深さをさらに小さくしても、ゴルフクラブヘッド１００の構造の安全性に影響を与えずに、ゴルフクラブヘッド１００の角度調整を行う時に、しわ、ヘッド構造の変形又は残留応力の集中が発生することを効果的に防ぐことができる。
【００２３】
（第４実施形態）
図５及び図６を参照する。図５は、本考案の第４実施形態によるゴルフクラブヘッドを示す正面図である。図６は、図５の線６−６に沿った断面図である。本実施形態は、第１実施形態と異なり、ゴルフクラブヘッド１００には、複数の調整溝１３１ｃ（例えば矩形状切削溝）がソケット部１３０の外周面上でホーゼル部１２０側に所定の間隔でそれぞれ設けられている。そのため、これら調整溝１３１ｃは、角度調整を行う時に発生するいずれの方向の応力の集中も除去することができ、ゴルフクラブヘッド１００を角度調整する時にしわ、ヘッド構造の変形又は残留応力の集中が発生することを防ぐことができる。
【００２４】
（第５実施形態）
図７は、本考案の第５実施形態によるゴルフクラブヘッドを示す正面図である。本実施形態は、第１実施形態と異なり、調整溝１３１ｄが、ソケット部１３０の外周面上でホーゼル部１２０側に設けられ、互いに隣接する各二つの調整溝１３１ｄが互いに重なった状態となっている。そのため、第５実施形態の調整溝１３１ｄは、角度調整を行う時に発生するいずれの方向の応力の集中も除去することができ、しわ、ヘッド構造の変形又は残留応力の集中が発生することを防ぐことができる。
【００２５】
（第６実施形態）
図８は、本考案の第６実施形態によるゴルフクラブヘッドを示す正面図である。本実施形態は、第１実施形態と異なり、第６実施形態の調整溝１３１ｅは、ホーゼル部１２０及びソケット部１３０の外周面上に設けられているため、角度調整を行う時に発生するいずれの方向の応力の集中も除去することができ、しわ、ヘッド構造の変形又は残留応力の集中が発生することを防ぐことができる。
【００２６】
上述したことから分かるように、本考案のゴルフクラブヘッドは、ソケット部又はホーゼル部の外周面上に調整溝（例えば環状溝、螺旋状溝又は複数の矩形状切削溝）が設けられている。この調整溝は、クラブヘッドの角度調整を行う時に発生するいずれの方向の応力の集中も除去することができるため、しわ、ヘッド構造の変形又は残留応力の集中が発生することを防ぐことができる。その上、この調整溝の深さ（例えば０．１から１ｍｍの間）は、ゴルフクラブヘッドの構造の安全性に何ら悪影響を及ぼさない。
【００２７】
当該施術を熟知するものが理解できるように、本考案の好適な実施形態を前述の通り開示したが、これらは決して本考案を限定するものではない。本考案の主旨と範囲を脱しない範囲内で各種の変更や修正を加えることができる。従って、本出願による実用新案登録請求の範囲は、このような変更や修正を含めて広く解釈されるべきである。
【図面の簡単な説明】
【００２８】
【図１】本考案の第１実施形態によるゴルフクラブヘッドを示す正面図である。
【図２】図１の線２−２に沿った断面図である。
【図３】本考案の第２実施形態によるゴルフクラブヘッドを示す正面図である。
【図４】本考案の第３実施形態によるゴルフクラブヘッドを示す正面図である。
【図５】本考案の第４実施形態によるゴルフクラブヘッドを示す正面図である。
【図６】図５の線６−６に沿った断面図である。
【図７】本考案の第５実施形態によるゴルフクラブヘッドを示す正面図である。
【図８】本考案の第６実施形態によるゴルフクラブヘッドを示す正面図である。
【符号の説明】
【００２９】
１００：ゴルフクラブヘッド、１１０：ヘッド本体、１１１：ヒール部、１１２：トウ部、１１３：打撃面、１２０：ホーゼル部、１３０：ソケット部、１３１、１３１ａ、１３１ｂ、１３１ｃ、１３１ｄ、１３１ｅ：調整溝、２００：シャフト
【図１】
0003129216.tif 000004
【図２】
0003129216.tif 000005
【図３】
0003129216.tif 000006
【図４】
0003129216.tif 000007
【図５】
0003129216.tif 000008
【図６】
0003129216.tif 000009
【図７】
0003129216.tif 000010
【図８】
0003129216.tif 000011